(57)【要約】【課題】  伝送路の区間ごとの状態を監視することができる伝送路監視装置及び伝送路の監視方法を提供する。【解決手段】  伝送路監視装置は、伝送路からデジタルコヒーレント受信された光信号の光電界成分を示す複数の電界信号に対し、前記伝送路の波長分散の一部を補償する第１補償部と、前記第１補償部による補償後の前記複数の電界信号に対し、前記伝送路の非線形光学効果による劣化を補償する第２補償部と、前記第２補償部による補償後の前記複数の電界信号に対し、前記伝送路の波長分散から前記一部を除いた残りの波長分散を補償する第３補償部と、前記第３補償部による補償後の前記複数の電界信号の品質を評価する評価部と、前記品質が所定条件を満たすときの前記第１補償部の補償量と前記第２補償部の補償量の関係を取得する取得部とを有する。【選択図】図６
2018133725.tif 000002
【特許請求の範囲】
【請求項１】
伝送路からデジタルコヒーレント受信された光信号の光電界成分を示す複数の電界信号に対し、前記伝送路の波長分散の一部を補償する第１補償部と、
前記第１補償部による補償後の前記複数の電界信号に対し、前記伝送路の非線形光学効果による劣化を補償する第２補償部と、
前記第２補償部による補償後の前記複数の電界信号に対し、前記伝送路の波長分散から前記一部を除いた残りの波長分散を補償する第３補償部と、
前記第３補償部による補償後の前記複数の電界信号の品質を評価する評価部と、
前記品質が所定条件を満たすときの前記第１補償部の補償量と前記第２補償部の補償量の関係を取得する取得部とを有することを特徴とする伝送路監視装置。
【請求項２】
前記取得部は、前記第１補償部の補償量を所定量ごとに変化させ、前記第１補償部の補償量ごとに、前記品質が所定条件を満たすように前記第２補償部の補償量を調整することにより前記関係を取得することを特徴とする請求項１に記載の伝送路監視装置。
【請求項３】
前記取得部により取得された前記関係を所定の変換規則に従って変換することによりデータを生成する生成部を有することを特徴とする請求項１または２に記載の伝送路監視装置。
【請求項４】
前記光信号をデジタルコヒーレント受信する受信器から前記複数の電界信号を取得して保持する保持部を有し、
前記第１補償部は、前記保持部から前記複数の電界信号を読み出し、前記伝送路の波長分散の前記一部を補償することを特徴とする請求項１乃至３の何れかに記載の伝送路監視装置。
【請求項５】
伝送路からデジタルコヒーレント受信された光信号の光電界成分を示す複数の電界信号に対し、前記伝送路の波長分散の一部を補償し、
前記伝送路の波長分散の前記一部の補償後の前記複数の電界信号に対し、前記伝送路の非線形光学効果による劣化を補償し、
前記劣化の補償後の前記複数の電界信号に対し、前記伝送路の波長分散から前記一部を除いた残りの波長分散を補償し、
前記残りの波長分散の補償後の前記複数の電界信号の品質を評価し、
前記品質が所定条件を満たすときの前記伝送路の波長分散の一部を補償する補償量と前記劣化を補償する補償量の関係を取得することを特徴とする伝送路の監視方法。
【発明の詳細な説明】
【技術分野】
【０００１】
本件は、伝送路監視装置及び伝送路の監視方法に関する。
【背景技術】
【０００２】
大容量のデータ伝送の需要の増加に応じ、例えば、１つの波長光で１００（Ｇｂｐｓ）以上の伝送を可能とするデジタルコヒーレント光伝送方式の研究開発が行われている。デジタルコヒーレント光伝送方式では、強度変調方式とは異なり、信号の変調に、光の強度だけでなく、光の位相も用いられる。このような変調方式としては、例えばＤＰ（Dual-Polarization）―ＱＰＳＫ（Quaternary Phase Shift Keying）が挙げられる。
【０００３】
デジタルコヒーレント光伝送方式の受信装置は、伝送路から光信号をデジタルコヒーレント受信し、光信号の偏波成分ごとの電界信号に変換し、各電界信号に対し、例えば、伝送路の波長分散と伝送路の非線形光学効果による劣化を補償する（例えば特許文献１参照）。
【０００４】
送信装置と受信装置の間には、伝送路として、例えば数十ｋｍから数千ｋｍの光ファイバが延びている。このような伝送路を保守管理するにあたり、作業者が伝送路全体の状態を確認することは困難であるため、伝送路の状態を監視するための各種の手段が提案されている（例えば特許文献２、非特許文献１及び２参照）。
【先行技術文献】
【特許文献】
【０００５】
【特許文献１】特開２０１０−５０５７８号公報
【特許文献２】特開２００９−１９８３６４号公報
【非特許文献】
【０００６】
【非特許文献１】F.N.Hauske et al.,”Optical Performance Monitoring in Digital Coherent Receivers”,IEEE JLT 27,16,pp.3623-3631,2009
【非特許文献２】D.C.Kilper et al.,”Optical Performance Monitoring”,IEEE JLT 22,1,pp.294-304,2004
【発明の概要】
【発明が解決しようとする課題】
【０００７】
しかし、非特許文献１に開示された手段によると、受信装置において光信号を処理する適応等化器のタップ係数と、伝送路を中継ノード（光アンプなど）で分けた各区間の物理効果の合計とが監視に用いられるため、総合的な伝送路の状態を監視できても、伝送路の区間ごとの状態を監視できない。なお、上記の区間は、例えば「スパン」などと呼ばれる。
【０００８】
また、非特許文献２に開示された手段によると、伝送路の区間ごとにモニタ機器を設けておき、各モニタ機器が光信号を伝送路から取り出すことにより区間ごとの状態を監視することができる。しかし、この手段では、伝送路に多数のモニタ機器を設置する必要があるため、コストの増加という別の問題が生ずる。
【０００９】
そこで本件は、伝送路の区間ごとの状態を監視することができる伝送路監視装置及び伝送路の監視方法を提供することを目的とする。
【課題を解決するための手段】
【００１０】
１つの態様では、伝送路監視装置は、伝送路からデジタルコヒーレント受信された光信号の光電界成分を示す複数の電界信号に対し、前記伝送路の波長分散の一部を補償する第１補償部と、前記第１補償部による補償後の前記複数の電界信号に対し、前記伝送路の非線形光学効果による劣化を補償する第２補償部と、前記第２補償部による補償後の前記複数の電界信号に対し、前記伝送路の波長分散から前記一部を除いた残りの波長分散を補償する第３補償部と、前記第３補償部による補償後の前記複数の電界信号の品質を評価する評価部と、前記品質が所定条件を満たすときの前記第１補償部の補償量と前記第２補償部の補償量の関係を取得する取得部とを有する。
【００１１】
１つの態様では、伝送路の監視方法は、伝送路からデジタルコヒーレント受信された光信号の光電界成分を示す複数の電界信号に対し、前記伝送路の波長分散の一部を補償し、前記伝送路の波長分散の前記一部の補償後の前記複数の電界信号に対し、前記伝送路の非線形光学効果による劣化を補償し、前記劣化の補償後の前記複数の電界信号に対し、前記伝送路の波長分散から前記一部を除いた残りの波長分散を補償し、前記残りの波長分散の補償後の前記複数の電界信号の品質を評価し、前記品質が所定条件を満たすときの前記伝送路の波長分散の一部を補償する補償量と前記劣化を補償する補償量の関係を取得する方法である。
【発明の効果】
【００１２】
１つの側面として、伝送路の区間ごとの状態を監視することができる。
【図面の簡単な説明】
【００１３】
【図１】デジタルコヒーレント光伝送方式の伝送システムの一例を示す構成図である。
【図２】伝送路監視装置の一例を示す構成図である。
【図３】伝送路監視装置の動作の一例を示すフローチャートである。
【図４】伝送路の特性と等価伝送路を示す図である。
【図５】特性補償部の一例を示す構成図である。
【図６】特性補償部の動作の一例を示すフローチャートである。
【図７】位置ごとの光信号のパワーの比を示す図である。
【図８】累積波長分散量と非線形補償量の関係の一例を示す図である。
【図９】特性補償部の他の例を示す構成図である。
【図１０】ディープニューラルネットワークの一例を示す構成図である。
【図１１】ディープニューラルネットワークのトレーニングシステムの一例を示す図である。
【図１２】データ変換処理部の一例を示す構成図である。
【発明を実施するための形態】
【００１４】
図１は、デジタルコヒーレント光伝送方式の伝送システムの一例を示す構成図である。伝送システムは、伝送路９に光信号Ｓｏを送信する送信装置１と、伝送路９を介して光信号Ｓｏを受信する受信装置２と、伝送路の状態を監視する伝送路監視装置３とを有する。
【００１５】
送信装置１は、送信処理回路１０と、光源１１と、デジタルアナログ変換器（Digital-to-Analog Converter）１２ａ〜１２ｄとを有する。また、送信装置１は、位相変調器（PM: Phase Modulator）１３ａ〜１３ｄと、偏波ビームスプリッタ（PBS: Polarization Beam Splitter）１４と、偏波ビームコンバイナ（PBC: Polarization Beam Combiner）１５とを有する。
【００１６】
送信処理回路１０は、他装置から入力された電気信号Ｓを中心周波数の異なる複数のサブチャネルに分け、複数のサブチャネルを多重することにより多重信号を生成する。送信処理回路１０は、生成した多重信号を４つのデジタル信号Ｈｉ，Ｈｑ，Ｖｉ，Ｖｑにそれぞれ分離して、ＤＡＣ１２ａ〜１２ｄに出力する。なお、送信処理回路１０としては、例えばＤＳＰ（Digital Signal Processor）が挙げられるが、これに限定されず、例えばＦＰＧＡ（Field Programmable Gate Array）またはＡＳＩＣ（Application Specific Integrated Circuit）であってもよい。
【００１７】
ＤＡＣ１２ａ〜１２ｄは、デジタル信号Ｈｉ，Ｈｑ，Ｖｉ，Ｖｑをそれぞれアナログ信号に変換する。アナログ信号は、ＰＭ１３ａ〜１３ｄに入力される。なお、ＤＡＣ１２ａ〜１２ｄは、送信処理回路１０内に構成されてもよい。
【００１８】
光源１１は、例えばＬＤ（Laser Diode）であり、所定の周波数の光ＳをＰＢＳ１４に出力する。ＰＢＳ１４は、光Ｓを、Ｈ軸及びＶ軸（偏光軸）に分離する。光ＳのＨ軸成分はＰＭ１３ａ，１３ｂにそれぞれ入力され、光ＳのＶ軸成分はＰＭ１３ｃ，１３ｄにそれぞれ入力される
【００１９】
ＰＭ１３ａ〜１３ｄは、ＤＡＣ１２ａ〜１２ｄからのアナログ信号を光変調する。より具体的には、ＰＭ１３ａ，１３ｂは、光ＳのＨ軸成分をＤＡＣ１２ａ，１２ｂからのアナログ信号に基づき位相変調し、ＰＭ１３ｃ，１３ｄは、光ＳのＶ軸成分をＤＡＣ１２ｃ，１２ｄからのアナログ信号に基づき位相変調する。位相変調された光ＳのＨ軸成分及びＶ軸成分はＰＢＣ１５に入力される。ＰＢＣ１５は、光ＳのＨ軸成分及びＶ軸成分を偏波合成して、光信号Ｓｏとして伝送路９に出力する。
【００２０】
受信装置２は、受信処理回路２０と、受信器２９と、ＡＤＣ（Analog-to-Digital Convertor）２２ａ〜２２ｄとを有する。受信器２９は、光源２１と、ＰＤ（PhotoDiode）２３ａ〜２３ｄと、９０度光ハイブリッド回路２４０，２４１と、ＰＢＳ２５，２６とを有し、伝送路９から光信号Ｓｏをデジタルコヒーレント受信する。ＰＢＳ２６は、送信装置１から伝送路９を介して入力された光信号Ｓｏを、Ｈ軸成分及びＶ軸成分に分離して９０度光ハイブリッド回路２４０，２４１にそれぞれ出力する。
【００２１】
また、光源２１は、送信装置１の局発光ＬＯｒをＰＢＳ２５に入力する。ＰＢＳ２５は、局発光ＬＯｒをＨ軸成分及びＶ軸成分に分離して９０度光ハイブリッド回路２４０，２４１にそれぞれ出力する。
【００２２】
９０度光ハイブリッド回路２４０は、光信号ＳｏのＨ軸成分及び局発光ＬＯｒのＨ軸成分を干渉させるための導波路を有し、光信号ＳｏのＨ軸成分を検波する。９０度光ハイブリッド回路２４０は、検波結果として、Ｉチャネル及びＱチャネルの振幅及び位相に応じた光電界成分をＰＤ２３ａ，２３ｂにそれぞれ出力する。
【００２３】
９０度光ハイブリッド回路２４１は、光信号ＳｏのＶ軸成分及び局発光ＬＯｒのＶ軸成分を干渉させるための導波路を有し、光信号ＳｏのＶ軸成分を検波する。９０度光ハイブリッド回路２４１は、検波結果として、Ｉチャネル及びＱチャネルの振幅及び位相に応じた光電界成分をＰＤ２３ｃ，２３ｄにそれぞれ出力する。
【００２４】
ＰＤ２３ａ〜２３ｄは、入力された光電界成分を電気信号に変換して、電気信号をＡＤＣ２２ａ〜２２ｄにそれぞれ出力する。ＡＤＣ２２ａ〜２２ｄは、ＰＤ２３ａ〜２３ｄから入力された電気信号をデジタル信号Ｈｉ，Ｈｑ，Ｖｉ，Ｖｑにそれぞれ変換する。デジタル信号Ｈｉ，Ｈｑ，Ｖｉ，Ｖｑは受信処理回路２０に入力される。
【００２５】
受信処理回路２０は、デジタル信号Ｈｉ，Ｈｑ，Ｖｉ，Ｖｑを合成して多重信号とし、多重信号に対して伝送路９の波長分散及び位相回転などの補償を行った後、多重信号に多重されたサブチャネルごとの信号を取り出す。受信処理回路２０は、各サブチャネルの信号から電気信号Ｓを生成する。なお、受信処理回路２０としては、例えばＤＳＰが挙げられるが、これに限定されず、例えばＦＰＧＡまたはＡＳＩＣであってもよい。
【００２６】
まら、デジタル信号Ｈｉ，Ｈｑ，Ｖｉ，Ｖｑは、受信処理回路２０に向かう伝送線路の途中で分岐して伝送路監視装置３に入力される。
【００２７】
伝送路監視装置３は、例えば電気ケーブルや電気コネクタなどを介して受信装置２に接続され、受信装置２から入力されたデジタル信号Ｈｉ，Ｈｑ，Ｖｉ，Ｖｑに基づき伝送路９の状態を監視する。なお、デジタル信号Ｈｉ，Ｈｑ，Ｖｉ，Ｖｑは、光信号Ｓｏの光電界成分を示す複数の電界信号の一例である。
【００２８】
図２は、伝送路監視装置３の一例を示す構成図である。伝送路監視装置３は、制御部３０と、書き込み処理部３１と、メモリ３２と、特性補償部３３と、データ生成部３４とを有する。書き込み処理部３１は、例えばＦＰＧＡなどのハードウェアにより構成される。制御部３０、特性補償部３３、及びデータ生成部３４は、例えば、ＦＰＧＡまたはＡＳＩＣなどのハードウェア、ＣＰＵ（Central Processing Unit）などのプロセッサを駆動するソフトウェアの機能、またはハードウェアとソフトウェアの組み合わせにより構成される。
【００２９】
書き込み処理部３１及びメモリ３２は、保持部の一例であり、受信器２９からデジタル信号Ｈｉ，Ｈｑ，Ｖｉ，Ｖｑを取得して保持する。より具体的には、書き込み処理部３１には、ＡＤＣ２２ａ〜２２ｄからデジタル信号Ｈｉ，Ｈｑ，Ｖｉ，Ｖｑが入力される。書き込み処理部３１は、デジタル信号Ｈｉ，Ｈｑ，Ｖｉ，Ｖｑから信号Ｅ０を生成してメモリ３２に書き込む。このとき、書き込み処理部３１は、伝送路９の状態の監視に必要な時間分の信号Ｅ０を生成する。なお、信号Ｅ０は上記の多重信号に該当する。
【００３０】
メモリ３２には信号Ｅ０の信号値が記憶される。つまり、メモリ３２は、信号Ｅ０を保持する。
【００３１】
特性補償部３３は、メモリ３２から信号Ｅ０を読み出し、信号Ｅ０に対し、伝送路９の波長分散と伝送路９の非線形光学効果による劣化を補償する。このとき、特性補償部３３は、書き込み処理部３１の書き込み速度（書き込みのクロック周波数）より遅い速度で信号Ｅ０を処理することができる。
【００３２】
特性補償部３３は、信号Ｅ０に対する各補償量から伝送路９の状態を検出する。より具体的には、特性補償部３３は、信号Ｅ０の品質が最もよくなるときの波長分散の補償量（以下、「波長分散補償量」と表記）Ｖｃｄと非線形光学効果による劣化の補償量（以下、「非線形補償量」と表記）γの関係を取得して、データ生成部３４に出力する。
【００３３】
データ生成部３４は、後述するように、例えばディープニューラルネットワークなどにより構成され、特性補償部３３から入力されるデータ（Ｖｃｄ，γ）を所定の変換規則に従って変換することにより、容易に解析可能な形式のデータＤＴを生成する。データＤＴは、伝送路９の監視結果を利用する対象（例えばネットワーク制御ソフトウェアやネットワーク管理者）に応じた形式で生成される。このため、データ生成部３４は、伝送路監視装置３の利便性を向上することができる。なお、データ生成部３４は生成部の一例である。
【００３４】
制御部３０は、書き込み処理部３１、特性補償部３３、及びデータ生成部３４に対し、伝送路９の監視処理の制御を行う。例えば、制御部３０は、書き込み処理部３１、特性補償部３３、及びデータ生成部３４に各種の設定や所定のシーケンスに従った動作指示などを行う。
【００３５】
図３は、伝送路監視装置３の動作の一例を示すフローチャートである。本動作は、制御部３０から書き込み処理部３１、特性補償部３３、及びデータ生成部３４に対する指示により順次に実行される。
【００３６】
書き込み処理部３１は、光信号Ｓｏをデジタルコヒーレント受信する受信器２９からデジタル信号Ｈｉ，Ｈｑ，Ｖｉ，Ｖｑを取得する（ステップＳｔ１）。次に、書き込み処理部３１は、デジタル信号Ｈｉ，Ｈｑ，Ｖｉ，Ｖｑから信号Ｅ０を生成してメモリ３２に書き込む（ステップＳｔ２）。
【００３７】
次に、特性補償部３３は、メモリ３２から信号Ｅ０を読み出す（ステップＳｔ３）。このとき、特性補償部３３の読み出し速度は書き込み処理部３１の書き込み速度より遅いため、信号処理速度がメモリ３２により変換される。
【００３８】
次に、特性補償部３３は、信号Ｅ０に対し波長分散の補償と非線形光学効果による劣化を補償することにより、品質が最も高いときの波長分散補償量Ｖｃｄ及び非線形補償量γの組のデータを取得する（ステップＳｔ４）。なお、ステップＳｔ４の処理の内容は後述する。
【００３９】
次に、データ生成部３４は、特性補償部３３から入力されるデータ（Ｖｃｄ，γ）を所定の変換規則に従って変換する（ステップＳｔ５）。これにより、容易に解析可能な形式のデータＤＴが生成される。このようにして伝送路監視装置３は動作する。
【００４０】
次に送信装置１と受信装置２を結ぶ伝送路９の特性について述べる。
【００４１】
図４は、伝送路９の特性と等価伝送路を示す図である。伝送路９の途中には、一例として、光信号Ｓｏを増幅する光アンプ９１〜９４がそれぞれ接続されている。光アンプ９１〜９４としては、例えばＥＤＦＡ（Erbium Doped optical Fiber Amplifier）が挙げられるが、これに限定されない。
【００４２】
伝送路９は、光アンプ９１〜９４により複数の区間、つまりスパン＃０〜＃Ｎに分けられる。スパン＃０は、送信装置１と光アンプ９１の入力端の間の区間であり、スパン＃１は、光アンプ９１の入力端と光アンプ９２の入力端の間の区間である。スパン＃２は、光アンプ９２の入力端と光アンプ９３の入力端の間の区間であり、スパン＃３は、光アンプ９３の入力端と光アンプ９４の入力端の間の区間である。スパン＃Ｎは、光アンプ９４の入力端と受信装置２の間の区間である。なお、スパン＃４〜＃（Ｎ−１）の図示は省略されている。
【００４３】
符号Ｇ１は、伝送路９の送信装置１からの距離に対する光信号Ｓｏのパワーの変化の一例を示す。光信号Ｓｏのパワーは光アンプ９１〜９４により増幅される。このため、スパン＃１では光アンプ９１の出力端の位置においてパワーが最も高くなり、スパン＃２では光アンプ９２の出力端の位置においてパワーが最も高くなる。また、スパン＃３では光アンプ９３の出力端の位置においてパワーが最も高くなり、スパン＃Ｎでは光アンプ９４の出力端の位置においてパワーが最も高くなる。
【００４４】
伝送路９上のパワーの高い範囲では、光信号Ｓｏに対して非線形光学効果が顕著に作用する。例えば、上記の光アンプ９１〜９４の出力端から所定範囲内では、非線形光学効果による光信号Ｓｏの劣化が無視できない程度となる。
【００４５】
非線形光学効果としては、例えばカー効果が挙げられる。カー効果が生ずると、伝送路９の光ファイバの屈折率が光信号Ｓｏのパワーの二乗に比例して変化する。その結果、光信号Ｓｏに自己位相変調（SPM: Self Phase Modulation）が生じて、光の位相速度の変化によりパルス幅が細くなり、信号エラーが生ずる原因となる。
【００４６】
符号Ｇ２は、伝送路９の送信装置１からの距離に対する累積波長分散量の変化の一例を示す。波長分散は、光ファイバ中における光波の伝搬速度の波長依存性であり、その大きさは距離に比例して増加する。波長分散は、光信号Ｓｏの波形を歪ませるため、信号エラーが生ずる原因となる。
【００４７】
伝送路９の単位距離当たりの波長分散量は、例えば光ファイバの種類（例えばＳＭＦ（Single Mode Fiber））などにより決まるため、伝送路９の全体の波長分散量Ｖｃｄ＿ｍａｘは、伝送路９の長さによって予め算出することが可能である。
【００４８】
符号Ｇ３は、伝送路９を数学的に等価な等価伝送路で表したモデルを示す。等価伝送路は、伝送路９上の位置Ｐに着目して、光信号Ｓｏに非線形光学効果を付与する部分９０２と、その部分９０２の前後で光信号Ｓｏに波長分散を付与する部分９０１，９０３とにより表わされる。したがって、特性補償部３３は、送信装置１側で波長分散を付加する部分９０１に対応する波長分散補償量Ｖｃｄ、非線形光学効果を付加する部分９０２に対応する非線形補償量γ、及び受信装置２側で波長分散を付加する部分９０３に対応する波長分散補償量Ｖｃｄ＿ｍａｘ−Ｖｃｄを用いて伝送路９上の位置Ｐのパワーに関連する情報を検出することができる。
【００４９】
図５は、特性補償部３３の一例を示す構成図である。特性補償部３３は、パラメータ調整部４０と、波長分散補償部（CDC: Chromatic Dispersion Compensator）（＃１，＃２）４１と、非線形効果補償部（NLC: Nonlinear Compensator）４２と、読み出し処理部４３と、信号品質評価部４４と、記憶部４５と、パラメータ記録部４６と、出力処理部４７とを有する。
【００５０】
読み出し処理部４３は、メモリ３２から信号Ｅ０を読み出してＣＤＣ（＃１）４１に出力する。なお、信号Ｅ０の読み出し速度は、例えばＣＤＣ４１及びＮＬＣ４２の処理速度に応じて決定される。
【００５１】
ＣＤＣ（＃１）４１は、第１補償部の一例であり、信号Ｅ０に対し伝送路９の波長分散の一部を補償する。ＣＤＣ（＃１）４１は、等価伝送路において受信装置２側の波長分散を付加する部分９０３に対応する波長分散補償量Ｖｃｄの補償を行う。
【００５２】
ＣＤＣ（＃１）４１は、高速フーリエ変換（FFT: Fast Fourier Transform）部４１０、周波数領域フィルタ４１１、及び逆高速フーリエ変換（IFFT: Inverse FFT）部４１２を有する。ＦＦＴ部４１０は、信号Ｅ０を時間領域の信号から周波数領域の信号に変換する。
【００５３】
Ｇ＝ｅｘｐ（ｊ・（２π・ｆｎ）２・Ｃ・Ｋｃｄ／（２π・Ｆｓ２）／２）・・・（１）
【００５４】
周波数領域フィルタ４１１は、ＦＦＴ部４１０から出力される信号Ｅ０の周波数ｆｎの成分に対する波長分散係数Ｋｃｄを信号Ｅ０に乗算する。ここで、周波数領域フィルタ４１１の伝達関数Ｇは上記の式（１）で表される。式（１）において、ｊは虚数単位を示し、Ｃは光速（299,792,458(m/s)）を示し、Ｆｓは光源１１のレーザの周波数を示す。
【００５５】
波長分散係数Ｋｃｄは、パラメータ調整部４０により波長分散補償量Ｖｃｄに応じて調整される。これにより、周波数領域フィルタ４１１は、信号Ｅ０に対し波長分散補償量Ｖｃｄ分の波長分散を補償する。
【００５６】
ＩＦＦＴ部４１２は、周波数領域フィルタ４１１から出力される信号Ｅ０を周波数領域の信号から時間領域の信号Ｅ１に変換する。ＣＤＣ（＃１）４１による補償後の信号Ｅ１はＮＬＣ４２に入力される。
【００５７】
ＮＬＣ４２は、第２補償部の一例であり、信号Ｅ１に対し、伝送路９の非線形光学効果による劣化を補償する。ＮＬＣ４２は、等価伝送路の非線形光学効果を付与する部分９０２に対応する非線形補償量γの補償を行う。
【００５８】
ＮＬＣ４２は、位相調整部４２０と、強度検出部４２１と、係数保持部４２２と、乗算器４２３とを有する。強度検出部４２１は、信号Ｅ１から光信号Ｓｏの強度、つまりパワーを検出する。強度検出部４２１は、パワーの二乗を示す検出信号Ｓｐｗを乗算器４２３に出力する。
【００５９】
係数保持部４２２は、非線形係数として非線形補償量γを保持している。非線形補償量γは、パラメータ調整部４０により調整される。係数保持部４２２は、非線形補償量γを乗算器４２３に出力する。乗算器４２３は、検出信号Ｓｐｗが示す値と非線形補償量γを乗算し、その算出値を位相調整部４２０に出力する。
【００６０】
Ｈ＝ｅｘｐ（−ｊ・γ・Ｐｗ２）     ・・・（２）
【００６１】
位相調整部４２０は、乗算器４２３からの入力値に応じて信号Ｅ１の位相を調整する。これにより、信号Ｅ１は、非線形光学効果による自己位相変調で生じた位相変化量が、非線形補償量γに応じた位相分だけ調整される。位相の調整量Ｈは、光信号ＳｏのパワーをＰｗとすると、上記の式（２）により表される。位相調整部４２０は、信号Ｅ１の位相調整により信号Ｅ２を生成し、ＣＤＣ（＃２）４１に出力する。
【００６２】
ＣＤＣ（＃２）４１は、第３補償部の一例であり、ＮＬＣ４２による補償後の信号Ｅ２に対し、伝送路９の波長分散から、ＣＤＣ（＃１）４１の波長分散補償量Ｖｃｄ分を除いた残りの波長分散を補償する。ＣＤＣ（＃２）４１は、等価伝送路において送信装置１側の波長分散を付加する部分９０１に対応する波長分散補償量（Ｖｃｄ＿ｍａｘ−Ｖｃｄ）の補償を行う。
【００６３】
つまり、ＣＤＣ（＃２）４１は、伝送路９の全体の波長分散量Ｖｃｄ＿ｍａｘのうち、ＣＤＣ（＃１）４１の波長分散補償量Ｖｃｄを除いた残りの波長分散（Ｖｃｄ＿ｍａｘ−Ｖｃｄ）を補償する。このため、ＣＤＣ（＃１）４１とＣＤＣ（＃２）４１は、合計で伝送路９の全体の波長分散量Ｖｃｄ＿ｍａｘを補償する。
【００６４】
ＣＤＣ（＃２）４１は、ＣＤＣ（＃１）４１と同様に、ＦＦＴ部４１０、周波数領域フィルタ４１１、及びＩＦＦＴ部４１２を有する。パラメータ調整部４０は、周波数領域フィルタ４１１の波長分散係数Ｋｃｄを波長分散補償量（Ｖｃｄ＿ｍａｘ−Ｖｃｄ）に応じて調整する。ＣＤＣ（＃２）４１は、信号Ｅ２に対し波長分散を補償することにより信号Ｅ３を生成し信号品質評価部４４に出力する。
【００６５】
信号品質評価部４４は、評価部の一例であり、ＣＤＣ（＃２）４１による補償後の信号Ｅ３の品質を評価する。信号品質評価部４４は、品質の一例として信号Ｅ３のＱ値を算出する。信号品質評価部４４は、例えば信号Ｅ３のエラーレートを計測し、エラーレートに基づきＱ値を算出する。信号品質評価部４４はＱ値をパラメータ調整部４０に出力する。
【００６６】
パラメータ調整部４０は、ＣＤＣ（＃１）４１の波長分散補償量Ｖｃｄ、ＮＬＣ４２の非線形補償量γ、及びＣＤＣ（＃２）４１の波長分散補償量（Ｖｃｄ＿ｍａｘ−Ｖｃｄ）をそれぞれ調整する。これにより、パラメータ調整部４０は、取得部の一例として、信号Ｅ３のＱ値が所定条件を満たすときのＣＤＣ（＃１）４１の波長分散補償量ＶｃｄとＮＬＣ４２の非線形補償量γの関係を取得する。伝送路９の累積波長分散量は、図４の符号Ｇ２で示されるように、送信装置１からの距離に比例するため、ＣＤＣ（＃１）４１の波長分散補償量Ｖｃｄは、受信装置２からの距離とみなすことができる。
【００６７】
また、非線形光学効果は、上述したように、光信号Ｓｏのパワーの高い位置、つまりアンプ９１〜９４の出力端から所定範囲内で顕著となる。このため、パラメータ調整部４０が、波長分散補償量Ｖｃｄを伝送路９上の位置Ｐに該当する値に調整し、信号Ｅ３の品質が所定条件を満たすように非線形補償量γを調整した場合、その非線形補償量γは、位置Ｐにおける光信号Ｓｏのパワーとみなすことができる。なお、信号Ｅ３品質の条件としては、Ｑ値が最も低くなることを挙げるが、これに限定されず、Ｑ値が閾値以下となることを条件としてもよい。
【００６８】
例えば、図４のスパン＃Ｎについて、波長分散補償量Ｖｃｄが、アンプ９４の出力端から受信装置２までの累積波長分散量に一致する場合、信号Ｅ３のＱ値が最も低くなるときの非線形補償量γは、アンプ９４の出力端における光信号Ｓｏのパワーに該当する。また、スパン＃１について、波長分散補償量Ｖｃｄが、アンプ９１の出力端から受信装置２までの累積波長分散量に一致する場合、信号Ｅ３のＱ値が最も低くなるときの非線形補償量γは、アンプ９１の出力端における光信号Ｓｏのパワーに該当する。なお、これは他のスパン＃２〜＃（Ｎ−１）についても同様である。
【００６９】
したがって、信号Ｅ３の品質が所定条件を満たすときの波長分散補償量Ｖｃｄと非線形補償量γの組み合わせから、スパンごとの光信号Ｓｏのパワーの変化特性を得ることが可能である。よって、伝送路監視装置３は、伝送路９のスパンごとの状態を監視することができる。
【００７０】
より具体的には、パラメータ調整部４０は、ＣＤＣ（＃１）４１の波長分散補償量Ｖｃｄを所定量ΔＶｃｄごとに変化させ、波長分散補償量Ｖｃｄごとに、Ｑ値が最も小さくなるようにＮＬＣ４２の非線形補償量γを調整することにより波長分散補償量Ｖｃｄと非線形補償量γの関係を取得する。このため、パラメータ調整部４０は、波長分散補償量Ｖｃｄに該当する伝送路９上の位置を受信装置２から送信装置１または送信装置１から受信装置２に向かうように変化させながら、その位置ごとに、Ｑ値が最も小さくなるときの非線形補償量γを効率的に探索することができる。
【００７１】
また、パラメータ調整部４０は、例えばＱ値が最小となるときの波長分散補償量Ｖｃｄと非線形補償量γの関係を取得する。このため、パラメータ調整部４０は、非線形補償量γごとのＱ値を一時的に記憶部４５に記憶しておき、Ｑ値が最小となる非線形補償量γを記憶部４５から検索する。
【００７２】
また、パラメータ調整部４０は、波長分散補償量Ｖｃｄと非線形補償量γの関係をパラメータ記録部４６に記録する。より具体的には、パラメータ記録部４６には、Ｑ値が最小となるときの波長分散補償量Ｖｃｄと非線形補償量γの組み合わせが記録されている。
【００７３】
パラメータ調整部４０は、波長分散補償量Ｖｃｄと非線形補償量γの関係の取得が完了すると、出力処理部４７に、パラメータ記録部４６に記録されたデータの出力を指示する。出力処理部４７は、パラメータ記録部４６から波長分散補償量Ｖｃｄと非線形補償量γの組み合わせのデータ（Ｖｃｄ，γ）を読み出してデータ生成部３４に出力する。
【００７４】
図６は、特性補償部３３の動作の一例を示すフローチャートである。本動作は、図３のステップＳｔ４において実行される。
【００７５】
パラメータ調整部４０は、ＣＤＣ（＃１）４１の波長分散補償量Ｖｃｄを０に設定する（ステップＳｔ１１）。このとき、ＣＤＣ（＃２）４１の波長分散補償量はＶｃｄ＿ｍａｘとなる。
【００７６】
次に、パラメータ調整部４０は、波長分散補償量Ｖｃｄを伝送路９の全体の波長分散量Ｖｃｄ＿ｍａｘと比較する（ステップＳｔ１２）。パラメータ調整部４０は、Ｖｃｄ≦Ｖｃｄ＿ｍａｘが成立する場合（ステップＳｔ１２のＹｅｓ）、ＣＤＣ（＃１）４１に、波長分散補償量Ｖｃｄで信号Ｅ０に対する波長分散の補償を実行させる（ステップＳｔ１３）。次に、ＣＤＣ（＃１）４１は、補償後の信号Ｅ１をＮＬＣ４２に出力する（ステップＳｔ１４）。
【００７７】
次に、パラメータ調整部４０は、非線形補償量γに０を設定する（ステップＳｔ１５）。次に、パラメータ調整部４０は、非線形補償量γと所定値γ＿ｍａｘと比較する（ステップＳｔ１６）。パラメータ調整部４０は、γ≦γ＿ｍａｘが成立する場合（ステップＳｔ１６のＹｅｓ）、ＮＬＣ４２に、非線形補償量γで信号Ｅ１に対する非線形光学効果による劣化の補償を実行させる（ステップＳｔ１７）。次に、ＮＬＣ４２は、補償後の信号Ｅ２をＣＤＣ（＃２）４１に出力する（ステップＳｔ１８）。
【００７８】
次に、パラメータ調整部４０は、ＣＤＣ（＃２）４１に、波長分散補償量（Ｖｃｄ＿ｍａｘ−Ｖｃｄ）で信号Ｅ３に対する波長分散の補償を実行させる（ステップＳｔ１９）。次に、ＣＤＣ（＃２）４１は、補償後の信号Ｅ３を信号品質評価部４４に出力する（ステップＳｔ２０）。
【００７９】
次に、信号品質評価部４４は、信号Ｅ３のＱ値を算出してパラメータ調整部４０に出力する（ステップＳｔ２１）。次に、パラメータ調整部４０は、非線形補償量γとＱ値を記憶部４５に記憶させる（ステップＳｔ２２）。次に、パラメータ調整部４０は、非線形補償量γに所定量Δγ（＞０）を加算する（ステップＳｔ２３）。その後、ステップＳｔ１６の処理が再び実行される。
【００８０】
パラメータ調整部４０は、γ＞γ＿ｍａｘが成立する場合（ステップＳｔ１６のＮｏ）、記憶部４５から、Ｑ値が最小となる非線形補償量γを検索する（ステップＳｔ２４）。次に、パラメータ調整部４０は、その非線形補償量γと波長分散補償量Ｖｃｄの組み合わせ（Ｖｃｄ，γ）をパラメータ記録部４６に記録する（ステップＳｔ２５）。
【００８１】
次に、パラメータ調整部４０は、波長分散補償量Ｖｃｄに所定量ΔＶｃｄ（＞０）を加算し（ステップＳｔ２６）、ステップＳｔ１２以降の処理を再び実行する。パラメータ調整部４０は、Ｖｃｄ＞Ｖｃｄ＿ｍａｘが成立する場合（ステップＳｔ１２のＮｏ）、出力処理部４７に（Ｖｃｄ，γ）の組み合わせのデータを出力させる（ステップＳｔ２７）。
【００８２】
このように、パラメータ調整部４０は、波長分散補償量Ｖｃｄを０からＶｃｄ＿ｍａｘまで増加させ、波長分散補償量Ｖｃｄの各々において、非線形補償量γを０からγ＿ｍａｘまで増加させることにより、Ｑ値が最小となる非線形補償量γを探索する。なお、パラメータ調整部４０は、Ｑ値が最小となる波長分散補償量Ｖｃｄと非線形補償量γの関係を取得するが、これに限定されず、例えばＱ値が所定値以下となる波長分散補償量Ｖｃｄと非線形補償量γの関係を取得してもよい。つまり、パラメータ調整部４０は、信号Ｅ３の品質が所定値以上となる波長分散補償量Ｖｃｄと非線形補償量γの関係を取得してもよい。
【００８３】
また、本実施例のパラメータ調整部４０は、波長分散補償量Ｖｃｄを０からＶｃｄ＿ｍａｘまで増加させるが、これに限定されず、波長分散補償量ＶｃｄをＶｃｄ＿ｍａｘから０まで減少させてもよい。さらに、パラメータ調整部４０は、非線形補償量γを０からγ＿ｍａｘまで増加させるが、これに限定されず、非線形補償量γをγ＿ｍａｘから０まで減少させてもよい。
【００８４】
次に、上記の監視方法による伝送路９の状態の監視の例について、ケース（Ａ）〜（Ｃ）を挙げて述べる。
【００８５】
図７は、位置Ｐ１〜Ｐ４ごとの光信号Ｓｏのパワーの比を示す図である。位置Ｐ１〜Ｐ４は、図４においてスパン数Ｎを４とした場合において、スパン＃１〜＃４のアンプ９１〜９４の出力端をそれぞれ指す。
【００８６】
各位置Ｐ１〜Ｐ４のパワーをＮｐ１〜Ｎｐ４とすると、ケース（Ａ）ではＮｐ１：Ｎｐ２：Ｎｐ３：Ｎｐ４＝１：１：１：１と仮定し、ケース（Ｂ）ではＮｐ１：Ｎｐ２：Ｎｐ３：Ｎｐ４＝１：２：１：０．５と仮定する。また、ケース（Ｃ）ではＮｐ１：Ｎｐ２：Ｎｐ３：Ｎｐ４＝１：０．５：１：２と仮定する。伝送路監視装置３は、ケース（Ａ）〜（Ｃ）のそれぞれの条件を満たす伝送路９を監視した結果、以下の結果を得ることができる。
【００８７】
図８は、累積波長分散量と非線形補償量の関係の一例を示す図である。図８において、横軸は伝送路９の累積波長分散量を示し、縦軸は非線形補償量γを示す。累積波長分散量は、伝送路９の全体の波長分散量Ｖｃｄ＿ｍａｘからＣＤＣ（＃１）４１の波長分散補償量Ｖｃｄを減算して得られた値である。
【００８８】
非線形光学効果は、光信号Ｓｏのパワーが強い位置Ｐ１〜Ｐ４において顕著となるため、非線形補償量γも位置Ｐ１〜Ｐ４において増加する。ケース（Ａ）ではＮｐ１：Ｎｐ２：Ｎｐ３：Ｎｐ４＝１：１：１：１であるため、各位置Ｐ１〜Ｐ４の非線形補償量γも実質的に同一である。
【００８９】
また、ケース（Ｂ）ではＮｐ１：Ｎｐ２：Ｎｐ３：Ｎｐ４＝１：２：１：０．５であるため、位置Ｐ２の非線形補償量γが最も大きく、位置Ｐ４の非線形補償量γが最も小さい。ケース（Ｃ）ではＮｐ１：Ｎｐ２：Ｎｐ３：Ｎｐ４＝１：０．５：１：２であるため、位置Ｐ４の非線形補償量γが最も大きく、位置Ｐ２の非線形補償量γが最も小さい。
【００９０】
このように、伝送路監視装置３は、伝送路９上の位置Ｐ１〜Ｐ４に対応する波長分散補償量Ｖｃｄと非線形補償量γの関係からスパン＃１〜＃４ごとの光信号Ｓｏのパワーを監視することができる。
【００９１】
本実施例の特性補償部３３は、図５に示されたものに限定されず、例えば、以下に述べるように、直列に接続された複数組のＣＤＣ４１及びＮＬＣ４２を有してもよい。
【００９２】
図９は、特性補償部３３の他の例を示す構成図である。図９において、図５と共通する構成には同一の符号を付し、その説明を省略する。
【００９３】
特性補償部３３は、パラメータ調整部４０と、Ｎ組（Ｎ：２以上の整数）のＣＤＣ（＃１〜＃Ｎ）４１及びＮＬＣ（＃１〜＃Ｎ）４２と、読み出し処理部４３と、信号品質評価部４４と、記憶部４５と、パラメータ記録部４６と、出力処理部４７とを有する。パラメータ調整部４０は、ＣＤＣ（＃１〜＃Ｎ）４１の波長分散補償量Ｖｃｄ［１］〜Ｖｃｄ［Ｎ］を調整し、ＮＬＣ（＃１〜＃Ｎ）４２の非線形補償量γ［１］〜γ［Ｎ］を調整する。
【００９４】
本例において、等価伝送路は、Ｎ個の波長分散を付加する部分９０１（９０３）とＮ個の非線形光学効果を付加する部分９０２が交互となるように直列に配列されたものとみなす。ＣＤＣ（＃１〜＃Ｎ）４１は、Ｎ個の波長分散を付加する部分９０１に対応する波長分散補償量Ｖｃｄ［１］〜Ｖｃｄ［Ｎ］をそれぞれ補償し、ＮＬＣ（＃１〜＃Ｎ）４２は、Ｎ個の非線形光学効果を付加する部分９０２に対応する非線形補償量γ［１］〜γ［Ｎ］を補償する。
【００９５】
パラメータ調整部４０は、Ｑ値が最小となるように波長分散補償量Ｖｃｄ［１］〜Ｖｃｄ［Ｎ］と非線形補償量γ［１］〜γ［Ｎ］を調整する。より具体的には、パラメータ調整部４０は、波長分散補償量Ｖｃｄ［１］を所定量ΔＶｃｄずつ変化させながら、Ｑ値が最小となる波長分散補償量Ｖｃｄ［２］〜Ｖｃｄ［Ｎ］及び非線形補償量γ［１］〜γ［Ｎ］を探索する。なお、ＣＤＣ（＃１）４１は第１補償部の一例であり、ＣＤＣ（＃２〜＃Ｎ）４１は第３補償部の一例である。また、ＮＬＣ（＃１）４２は第２補償部の一例である。
【００９６】
パラメータ調整部４０は、Ｑ値が最小となるときの波長分散補償量Ｖｃｄ［１］と非線形補償量γ［１］の関係を取得してパラメータ記録部４６に記録する。出力処理部４７は、波長分散補償量Ｖｃｄ［１］と非線形補償量γ［１］の組み合わせのデータ（Ｖｃｄ［１］，γ［１］）をデータ生成部３４出力する。
【００９７】
本例の特性補償部３３は、複数組のＣＤＣ４１及びＮＬＣ４２により波長分散補償量Ｖｃｄ［１］と非線形補償量γ［１］の関係を取得するため、図５の実施例より高精度に伝送路９を監視することができる。
【００９８】
次に、データ生成部３４の構成について述べる。データ生成部３４は、例えば波長分散補償量Ｖｃｄを伝送路９上の位置に変換し、また、非線形補償量γを光信号Ｓｏのパワーに変換することができる。データ生成部３４としては、例えばディープニューラルネットワークを用いることができる。
【００９９】
図１０は、ディープニューラルネットワーク５の一例を示す構成図である。ディープニューラルネットワーク５は、人間の脳機能を数学的にモデル化したものであり、深層学習機能を備えるネットワークである。
【０１００】
ディープニューラルネットワーク５は、入力層Ｌｉｎ、第１〜第ｍ隠れ層Ｌ１〜Ｌｍ（ｍ：２以上の整数）、及び出力層Ｌｏｕｔを有する。入力層Ｌｉｎ、第１〜第ｍ隠れ層Ｌ１〜Ｌｍ、及び出力層Ｌｏｕｔには、ニューロンに該当する複数の入出力ユニットＵが設けられている。なお、各層Ｌｉｎ，Ｌ１〜Ｌｍ，Ｌｏｕｔの入出力ユニットＵの数は同一であっても互いに異なっていてもよい。
【０１０１】
【数１】
2018133725.tif 000003
【０１０２】
入出力ユニットＵは、符号Ｇ４で示されるように、変数ｘ１〜ｘｎ（ｎ：２以上の整数）の入力に対して変数ｙを出力する。変数ｙは、変数ｘ１〜ｘｎの活性化関数ｆを用いて上記の式（３）で表される。ここで、変数ｘ１〜ｘｎの重み係数ｗ１〜ｗｋと定数ｗ０は学習により決定される。活性化関数ｆは、例えばシグモイド関数、ＲｅＬＵ関数、及びＭａｘｏｕｔ関数が挙げられるが、これに限定されない。重み係数ｗ１〜ｗｋ、定数ｗ０、及び活性化関数ｆは、不図の中央解析装置から入出力ユニットＵに予め設定される。
【０１０３】
特性補償部３３から入力されたデータは、Ｎｉｎ列（Ｎｉｎ：２以上の整数）で入力層Ｌｉｎに入力され、第１〜第ｍ隠れ層Ｌ１〜Ｌｍにおいて演算処理されることにより他の形式のデータＤＴに変換されて出力層ＬｏｕｔからＮｏｕｔ列（Ｎｏｕｔ：２以上の整数）で出力される。ここで、データの変換規則は、重み係数ｗ１〜ｗｋ及び定数ｗ０に応じて決定される。重み係数ｗ１〜ｗｋ及び定数ｗ０は、例えば、以下のようなトレーニングシステムによりディープニューラルネットワーク５に学習させることにより最適な値とすることができる。
【０１０４】
図１１は、ディープニューラルネットワーク５のトレーニングシステムの一例を示す図である。トレーニングシステムは、重み係数調整部５０と、比較処理部５１とを有する装置を含み、ディープニューラルネットワーク５は重み係数調整部５０及び比較処理部５１に接続される。重み係数調整部５０と比較処理部５１は、例えばＦＰＧＡのようなハードウェアの機能、ＣＰＵを駆動するソフトウェア、またはハードウェアとソフトウェアの組み合わせにより構成される。
【０１０５】
ディープニューラルネットワーク５には、予め用意されたテストデータが入力され、ディープニューラルネットワーク５からは出力値データが出力される。比較処理部５１には、出力値データと期待値データが入力される。期待値データには、予めテストデータに対応して用意された期待値が含まれている。比較処理部５１は、比較結果を重み係数調整部５０に出力する。
【０１０６】
Ｌｓ＝（ｄ−ｄ’）２      ・・・（４）
【０１０７】
比較処理部５１は、例えば、上記の式（４）により出力値データｄと期待値データｄ’のエラー（損失Ｌｓ）を算出して、重み係数調整部５０に出力する。
【０１０８】
重み係数調整部５０は、損失Ｌｓが小さくなるように、例えば誤差伝搬法（バックプロパゲーション法）によりディープニューラルネットワーク５の重み係数ｗ１〜ｗｋ及び定数ｗ０を調整する。重み係数調整部５０は、損失Ｌｓが所定値より小さくなると、重み係数ｗ１〜ｗｋ及び定数ｗ０を確定して外部に出力する。これにより、適切な重み係数ｗ１〜ｗｋ及び定数ｗ０を決定することが可能となる。なお、重み係数ｗ１〜ｗｋ及び定数ｗ０の初期値は例えばランダムに決定される。
【０１０９】
また、データ生成部３４としては、ディープニューラルネットワーク５に限定されず、ルックアップテーブルによるデータ変換処理部が用いられてもよい。
【０１１０】
図１２は、データ変換処理部６の一例を示す構成図である。データ変換処理部６は、入力値ａ１，ａ２，・・・と出力値ｂ１，ｂ２，・・・の対応関係が登録されたルックアップテーブル６０を有している。データ変換処理部６は、ルックアップテーブル６０を参照することにより、データ（Ｖｃｄ，γ）をデータＤＴに変換して出力する。これにより、簡単な構成でデータ変換が可能となる。
【０１１１】
このように、データ生成部３４は、特性補償部３３から入力されるデータ（Ｖｃｄ，γ）を所定の変換規則に従って変換するため、容易に解析可能な形式のデータＤＴを生成することができる。
【０１１２】
上述した実施形態は本発明の好適な実施の例である。但し、これに限定されるものではなく、本発明の要旨を逸脱しない範囲内において種々変形実施可能である。
【０１１３】
なお、以上の説明に関して更に以下の付記を開示する。
（付記１）  伝送路からデジタルコヒーレント受信された光信号の光電界成分を示す複数の電界信号に対し、前記伝送路の波長分散の一部を補償する第１補償部と、
前記第１補償部による補償後の前記複数の電界信号に対し、前記伝送路の非線形光学効果による劣化を補償する第２補償部と、
前記第２補償部による補償後の前記複数の電界信号に対し、前記伝送路の波長分散から前記一部を除いた残りの波長分散を補償する第３補償部と、
前記第３補償部による補償後の前記複数の電界信号の品質を評価する評価部と、
前記品質が所定条件を満たすときの前記第１補償部の補償量と前記第２補償部の補償量の関係を取得する取得部とを有することを特徴とする伝送路監視装置。
（付記２）  前記取得部は、前記第１補償部の補償量を所定量ごとに変化させ、前記第１補償部の補償量ごとに、前記品質が所定条件を満たすように前記第２補償部の補償量を調整することにより前記関係を取得することを特徴とする付記１に記載の伝送路監視装置。
（付記３）  前記取得部により取得された前記関係を所定の変換規則に従って変換することによりデータを生成する生成部を有することを特徴とする付記１または２に記載の伝送路監視装置。
（付記４）  前記光信号をデジタルコヒーレント受信する受信器から前記複数の電界信号を取得して保持する保持部を有し、
前記第１補償部は、前記保持部から前記複数の電界信号を読み出し、前記伝送路の波長分散の前記一部を補償することを特徴とする付記１乃至３の何れかに記載の伝送路監視装置。
（付記５）  伝送路からデジタルコヒーレント受信された光信号の光電界成分を示す複数の電界信号に対し、前記伝送路の波長分散の一部を補償し、
前記伝送路の波長分散の前記一部の補償後の前記複数の電界信号に対し、前記伝送路の非線形光学効果による劣化を補償し、
前記劣化の補償後の前記複数の電界信号に対し、前記伝送路の波長分散から前記一部を除いた残りの波長分散を補償し、
前記残りの波長分散の補償後の前記複数の電界信号の品質を評価し、
前記品質が所定条件を満たすときの前記伝送路の波長分散の一部を補償する補償量と前記劣化を補償する補償量の関係を取得することを特徴とする伝送路の監視方法。
（付記６）  前記伝送路の波長分散の一部を補償する補償量を所定量ごとに変化させ、前記伝送路の波長分散の一部を補償する補償量ごとに、前記品質が所定条件を満たすように前記劣化を補償する補償量を調整することにより前記関係を取得することを特徴とする付記５に記載の伝送路の監視方法。
（付記７）  取得された前記関係を所定の変換規則に従って変換することによりデータを生成することを特徴とする付記５または６に記載の伝送路の監視方法。
（付記８）  前記光信号をデジタルコヒーレント受信する受信器から前記複数の電界信号を取得して保持し、
該保持された前記複数の電界信号を読み出し、前記伝送路の波長分散の前記一部を補償することを特徴とする付記５乃至７の何れかに記載の伝送路の監視方法。
【符号の説明】
【０１１４】
１       送信装置
２       受信装置
３       伝送路監視装置
９       伝送路
２９       受信器
３１       書き込み処理部
３２       メモリ
３３       特性補償部
３４       データ生成部
４０       パラメータ調整部
４１       波長分散補償部
４２       非線形効果補償部
４４       信号品質評価部 
【図１】
2018133725.tif 000004
【図２】
2018133725.tif 000005
【図３】
2018133725.tif 000006
【図４】
2018133725.tif 000007
【図５】
2018133725.tif 000008
【図６】
2018133725.tif 000009
【図７】
2018133725.tif 000010
【図８】
2018133725.tif 000011
【図９】
2018133725.tif 000012
【図１０】
2018133725.tif 000013
【図１１】
2018133725.tif 000014
【図１２】
2018133725.tif 000015